(57)【要約】      （修正有）【課題】衣服やバッグなどの手持ち品の装飾用として三次元ピースを複数連結させた従来にない新たな発想を基にした三次元装飾品を提供する。【解決手段】三次元プリンターにより、複数の三次元ピース２ａ、２ｂが一層ないし二層で一方向、または面状に並列し、隣接し合う三次元ピース２ａ、２ｂ間における動きに自由度のある連結形態をなして一体成形された三次元ピース集合体であって、該三次元ピース集合体の外縁をなす三次元ピース２ｂの底部から外向きに縫着部５が設けられている。【選択図】図１
0003213673.tif 000002
【実用新案登録請求の範囲】
【請求項１】
複数の三次元ピースが一層ないし二層で一方向、または面状に並列し、隣接し合う三次元ピース間における動きに自由度のある連結形態をなして一体成形された三次元ピース集合体であって、該三次元ピース集合体の外縁をなす三次元ピースの底部から外向きに縫着部が設けられていることを特徴とする三次元装飾品。
【請求項２】
前記三次元ピース集合体は、三次元ピース同士が連結して一体化されていることを特徴とする請求項１記載の三次元装飾品。
【請求項３】
前記三次元ピース集合体は、三次元ピースが他の連結部材により互いに連結して一体化されていることを特徴とする請求項１記載の三次元装飾品。
【請求項４】
前記三次元ピースがメッシュ状であって、該メッシュ状三次元ピースの空間内に他のメッシュ状三次元ピースのメッシュ構成軸、または連結部材が入り込む形で連結し、一体化していることを特徴とする請求項１〜３の何れか１項記載の三次元装飾品。
【請求項５】
前記三次元ピースが、四角立方体の各辺を軸としたメッシュ状三次元ピースであって、複数のメッシュ状三次元ピースからなる二つの層が重なり、下層側のメッシュ状ピースの上部三叉部と、上層側のメッシュ状ピースの下部三叉部が互いに入り込む形で連結し、一体化されて三次元ピース集合体を成していることを特徴とする請求項１または２および４の何れか１項記載の三次元装飾品。
【請求項６】
前記三次元ピース集合体が布帛基材に縫い付けられていることを特徴とする請求項１〜５のいずれか１項記載の三次元装飾品
【請求項７】
前記三次元ピース集合体が伸縮性を有した編織物基材に縫い付けられていることを特徴とする請求項１〜６のいずれか１項記載の三次元装飾品。
【請求項８】
前記三次元ピース集合体が帯状をなし、細幅の編織物基材に縫い付けられていることを特徴とする請求項1〜７のいずれか１項記載三次元装飾品。
【考案の詳細な説明】
【技術分野】
【０００１】
本考案は、衣服やバッグ等の装飾用、あるいは装身具として好適な装飾品に関するものである。
【背景技術】
【０００２】
衣服やバッグ等の装飾を目的として意匠性を有した編織テープなどが多用されており、なかでも一層の高級感を得るために金属やプラスチック製の鎖やビーズ、あるいはガラスや金属、プラスチック、宝石、真珠などによる玉を連珠した装飾品などを編織物布帛に装着した立体的な装飾品を衣服の胸部や袖口、襟、バッグ等に装着して意匠効果を得ることは良く知られている。
【０００３】
例えば、特許文献１では織物テープの側縁に飾りポールチェーンを織り込み、被服や鞄などに取り付け、ファッション性を高めることを目的とした提案がなされている。また、特許文献２においては織物に鎖を織り込み、その鎖の長浮部を適宜の箇所で切断して布帛表面に垂れ下がり状の鎖を設けるという提案がなされており、その垂れ下がり部を衣服の胸元や襟部に位置するよう縫製することで装飾効果が発揮される。
【０００４】
また、特許文献３では敷き詰められたビーズ層が樹脂でシート状に固定され、そのシート裏面に接着層を設けた装飾シートが提案されており、同シートを種々のデザイン形状として衣服の任意の箇所に接着させることで意匠効果が得られる。
【０００５】
上述した様な衣服や手持ち品に付ける従来の装飾品に対して、ファッションに敏感なユーザーはこれまでにない斬新な意匠性を有した装飾品の願望意識が強く、衣服等を製造販売する業界側としては、常に新たな装飾品の創出が求められている。
【先行技術文献】
【特許文献】
【０００６】
【特許文献１】実開昭５７−０８７０８８号公報
【特許文献２】実開昭５９−１０３７８５号公報
【特許文献３】特開平１１−１５７２９５号公報
【考案の概要】
【考案が解決しようとする課題】
【０００７】
本考案は、衣服やバッグなどの手持ち品の装飾、あるいは装身具して三次元ピースを複数連結させた従来にはない新たな発想を基にした装飾品を提供することにある。
【課題を解決するための手段】
【０００８】
本考案者が上記技術的課題を解決するために採用した手段を、添付図面を参照して説明すれば、次のとおりである。
【０００９】
すなわち、本考案は、複数の三次元ピースが一層ないし二層で一方向、または面状に並列し、隣接し合う三次元ピース間における動きに自由度のある連結形態をなして一体成形された三次元ピース集合体であって、該三次元ピース集合体の外縁をなす三次元ピースの底部から外向きに縫着部が設けるという技術的手段により完成させた。
【００１０】
また、前記三次元ピース集合体は、三次元ピース同士が連結して一体化されているという技術的手段を採用することができる。
【００１１】
また、前記三次元ピース集合体の三次元ピースが他の連結部材により互いに連結して一体化されているという技術的手段を採用することができる。
【００１２】
また、前記三次元ピースがメッシュ状であって、該メッシュ状三次元ピースの空間内に他のメッシュ状三次元ピースのメッシュ構成軸、または連結部材が入り込む形で連結し、一体化して三次元ピース集合体をなしているという技術的手段を採用することができる。
【００１３】
更にまた、前記三次元ピースが、四角立方体の各辺を軸としたメッシュ状三次元ピースであって、複数のメッシュ状三次元ピースからなる二つの層が上下に重なり、下層側のメッシュ状三次元ピースの上部三叉部と、上層側のメッシュ状三次元ピースの下部三叉部が互いに入り込む形で連結し、一体化された三次元ピース集合体を成しているという技術的手段を採用することができる。
【００１４】
更にまた、前記三次元ピース集合体が布帛基材に縫着されているという技術的手段を採用することができる。
【００１５】
更にまた、前記三次元ピース集合体が伸縮性を有した編織物基材に縫着されているという技術的手段を採用することができる。
【００１６】
更にまた、前記三次元ピース集合体が帯状をなし、細幅の編織物基材に縫い付けられているという技術的手段を採用することができる。
【００１７】
更にまた、本考案は三次元装飾品を基材や諸製品への縫い付け方法において、以下工程を含むことが出来る。
（１）帯状薄板の端部側に三次元ピースに設けた縫着部の輪郭に合わせた凹状部を所望のピッチで連続配置させた三次元ピース位置決め板の作製。
（２）該三次元ピース位置決め板を被縫い付け材料上の所定位置に置き、各三次元ピースの縫着部を三次元ピース位置決め板の各凹状部に合わせる。
（３）縫着部の空隙および縫着部間に縫い針が入る縫いピッチで、三次元装飾品を縫い付ける。
【考案の効果】
【００１８】
本考案にあっては、三次元プリンターにより、複数の三次元ピースが一層ないし二層で一方向、または面状に並列し、隣接し合う三次元ピース間における動きに自由度のある連結形態をなして一体化された三次元ピース集合体において、該三次元ピース集合体の外縁をなす三次元ピースの底部から外方に突き出た縫着部が設けられている装飾品であるから、布帛や衣服、カバンなどに所望の形態で容易に縫着させることができ、従来にない斬新な三次元の意匠性を発揮した装飾品を提供することが出来る。
【００１９】
また、本考案の三次元装飾品は、隣接し合う三次元ピース間における動きに自由度のある連結形態であるから、衣服に装着させても衣服の伸び縮みや折れ曲がりなどに追従し、身体の動きの抑制や衣服のドレープ性を損なうようなことがなく、また衣服などの動きに従い、個々の三次元ピースの角度変化による意匠性も得られる。
【００２０】
また、本考案の三次元ピースをプラスチック製のメッシュ状とすることで非常に軽量となり、衣服などに装着させても負担にならない。
【００２１】
更にまた、三次元装飾品を基材や諸製品への縫い付け方法として、三次元ピースの縫着部の輪郭に合わせた凹状部を所望のピッチで連続配置させた三次元ピース位置決め板を作製し、三次元ピースの縫着部を前記位置決め板の凹状部に合わせて縫い糸で縫い付ける方法により、三次元装飾品の各三次元ピースを所望の位置関係で見栄え良く、かつ効率的に装着させることができる。
【図面の簡単な説明】
【００２２】
【図１】本考案の実施形態の三次元装飾品の斜視図である。
【図２】本考案の実施形態の三次元ピースを示す斜視図である。
【図３】本考案の実施形態の三次元ピースの連結形態を説明するための斜視図である。
【図４】本考案の実施形態の三次元ピースの他の連結形態を説明するための斜視図である。
【図５】本考案の実施形態の三次元装飾品を布帛に縫着した状態を示す斜視図である。
【図６】本考案の三次元装飾品の縫い付け方法で使用する三次元ピース位置決め板の斜視図である。
【図７】本考案の三次元装飾品の縫い付け方法を説明するための斜視図である。
【考案を実施するための形態】
【００２３】
本考案を実施するための形態を、具体的に図示した図面に基づいて、更に詳細に説明すると次のとおりである。
【００２４】
本考案の実施形態を図１から図７に基づいて説明する。図１において符号１は本考案の三次元ピース集合体からなる三次元装飾品１を示し、複数の三次元ピース２（２ａ，２ｂ）は下層側４列が並び、その下層側の列および行間上に上層側の三次元ピース２（２ａ）が３列並び、その上層側の三次元ピース２（２ａ）が下層側の三次元ピース２（２ａ，２ｂ）に入り込んだ状態で連結し、帯状を形成している。
【００２５】
また、帯状をなした三次元ピース２（２ａ，２ｂ）の集合体の側縁部をなす下層側の三次元ピース２（２ｂ）には外側に突き出した縫着部５が設けられている。
【００２６】
本考案の三次元装飾品１を布帛基材や諸製品に装着させる際に人手によって縫い針と縫い糸で縫い付けることは可能であるが、三次元構造であるから工業的にミシンを用いて効率的、かつ精度良く縫い付けることは難しく、三次元装飾品１の底部に外側に突き出した縫着部５を設けておけば、その縫着部５の空隙部に縫い針が貫通するよう縫いピッチに設定することによって、工業ミシンで効率良く縫い付けることが出来る。
【００２７】
図２は本考案の三次元ピース２の構造の一実施例を示したもので、四角立方体の各辺を軸としたメッシュ状の三次元構造をなし、メッシュ状の三次元ピース２（２ａ、２ｂ）のサイズとしては、幅（Ｗ）および長さ（Ｌ）は５〜２０ｍｍ、高さ（Ｈ）が４〜１０ｍｍ程度で軸径（ｄ）が１〜３ｍｍ程度、そして縫着部の長さ（Ｔ）は５〜２０ｍｍ程度であることが好ましく、また、身体に触れた際に痛みを感じさせない様にコーナー部の角は丸みを持たせることが好ましい。
【００２８】
また、各三次元ピース２（２ａ、２ｂ）は隣接し合う個々の三次元ピース２（２ａ、２ｂ）間において、その動く距離が０〜５ｍｍ程度、そして水平状態での並びに対して±１５°程度の角度変化の自由度を有していることが好ましい。そうすることによって衣服などに装着させた際、衣服の伸びや屈曲に応じて各三次元ピース２が動き、身体の動きを抑制するようなことがない。
【００２９】
また、図２に示す様に、三次元ピース２（２ａ、２ｂ）をメッシュ状とすることによって軽量化が可能となり、衣服などに装着させても負担にならず、また意匠性も発揮することから好ましい形態である。
【００３０】
一実施例としてメッシュ状の三次元ピース２（２ａ、２ｂ）について説明をしたが、本考案においては前述した連結部における自由度を有しておれば、大きさや形状の異なり、あるいはそれらの混合など種々の形態の三次元ピース２（２ａ、２ｂ）を採用することが出来る。
【００３１】
図２の（ｂ）は衣服や鞄、あるいは基布１０などに縫い付けるための縫着部５を設けた三次元ピース２ｂの一例を示し、縫着部５の形状は半月型に限定されることは無く、角型、Ｔ字型、メガネ型など縫い付け後に縫い糸から外れない構造であれば良い。
【００３２】
図３は各三次元ピース２（２ａ１，２ａ２）の連結形態を説明するための図であって、下層側の三次元ピース２ａ１の上部コーナーの三叉部Ｃ１と、上層側の三次元ピース２ａ２の下部コーナーの三叉部Ｃ２が互い入り込んで連結し合った連結構造をなし、図７に示す様に上層側の三次元ピース２ａの下部の４つのコーナーの三叉部が下層側に並ぶ４個の三次元ピース２ｂのコーナーの三叉部にそれぞれ入り込んだ形をなして互いに連結され状態で三次元装飾品１を形成している。
【００３３】
また、三次元ピース２の連結手段として、図４に示すように他の連結部材６を用いて動きに対する自由度を持たせた連結手段を用いることも出来、そうすることで大きさや形状の異なる三次元ピース２を容易に連結させることが出来る点で好ましいが、本考案においては図４に示す連結部材６の形状に限定されることなく、例えばリング状や棒状の両端に球体のストッパーを設けた形状であっても構わない。
【００３４】
三次元装飾品１を製造する方法としては、三次元プリンターにより、三次元装飾品１自体を形成する熱可塑性樹脂と、水溶性のサポート材を用いて三次元装飾品１以外の部分を水溶性のサポート材で埋め、成形後にサポート材を除去することで、本考案で用いる三次元装飾品１を容易に成形することが出来る。
【００３５】
三次元装飾品１を形成する樹脂としてはポリアミド樹脂、ポリエステル樹脂、ポリプロピレン樹脂、ポリエチレン樹脂などが挙げられ、なかでも柔軟性および耐久性に優れているポリアミド樹脂が好適である。
【００３６】
通常図３に示すような連結方法は、連結する側の空隙に入るメッシュ軸を単独の状態で挿入し、挿入後にメッシュ軸の両端を接着することにより得られるが、精度良く接着することが難しいし、接着する個数も多いことから実際には不可能に近いが、三次元プリンターであれば最初に条件をセットしておけばどのような複雑な構造であっても継ぎ目のない三次元装飾品１をほぼ無人の状態で成形することが出来る。
【００３７】
本考案の三次元装飾品１は衣服などに直接装着させることが出来るが、各三次元ピース２間の動きに自由度があるため、三次元ピース間のピッチや並び方などを考慮しながら縫い付けねばならないという高度な縫い付け技術を必要とするから、図５で示す様に三次元装飾品１を予め布帛基材１０に縫い糸１１で縫い付け、布帛基材１０に縫い付けられた状態で衣服などに装着させることが出来る。
【００３８】
縫い付ける布帛基材１０としては特に限定されるものではないが、織物、編物、不織布、フィルム、皮革製品など種々の布帛状物に適用でき、特に伸縮性を有した布帛基材１０であれば、伸縮性の衣服であっても布帛基材１０が追従するので衣服の伸縮性が抑制されるようなことがなく、また人体の動きに対して三次元装飾品１の複雑な動きが意匠効果として発揮される。
【００３９】
また、本考案の三次元装飾品１を帯状の形態にして細幅の編織物からなる布帛基材１０に縫い付けることが出来、衣服の装飾ラインテープとして利用することでこれまでにない三次元的な意匠性を発揮させることが出来る。
【００４０】
本考案の三次元装飾品１を布帛基材１０等へ縫い付ける際、動きに自由度があるために縫い付けに時間を要する問題があるし、また各三次元ピース２の間隔を大きくし過ぎると三次元装飾品1の伸びに余裕が無くなり、伸縮性基材に縫い付けても三次元装飾品１が伸縮性を阻害する問題があるために縫い付け方法が重要である。
【００４１】
本考案の縫い付け方法は、まず図６に示す様に帯状薄板の端部に三次元ピース２に設けた縫着部５の輪郭に合わせた凹形状の切り抜き部２１を所望のピッチで連続配置させた三次元ピース位置決め板２０を作製する。
【００４２】
帯状薄板の材質としては特に限定されないが、万が一縫い針が突き刺さっても折れるようなことなく容易に貫通可能なものが安全上好ましく、例えば厚紙、柔軟性のあるシリコーンやポリウレタン樹脂、あるいは天然ゴム等である。
【００４３】
図５では便宜上長さ方向だけに縫着部５を直線状に配列した例を示したが、三次元装飾品１の外縁全体に縫着部５を配置することも出来るし、また曲線状にも配列させることも出来、三次元ピース位置決め板２０の凹形状切り抜き部２１の配列ピッチや並び方は望まれる三次元装飾品１の形態によって決めれば良い。
【００４４】
次いで、該三次元ピース位置決め板２０を被縫い付け材料上の所定位置に置き、各三次元ピース２（２ｂ）の縫着部５を三次元ピース位置決め板２０の各凹形状切り抜き部２１に合わせ、縫着部５の空隙および縫着部５間に縫い針が入る縫いピッチで三次元装飾品１を縫い付ける。
【００４５】
上述した縫い付け方法により、非常に形態的に不安定な本考案の三次元ピース集合体からなる三次元装飾品１を所望の位置関係で、見栄え良く布帛基材１０や衣服など諸物品に縫い付けることが出来る。また縫い付けの際に、各三次元ピース２間のピッチの拡がり余裕を持たせることで伸縮性のある布帛基材や衣服などに縫着しても、その伸びに追従するので身体の動きなどが抑制されるようなことがない。
【００４６】
『実施例』
次に、本実施形態の三次元装飾品１の実施例について説明する。表１に示すサイズのメッシュ状の三次元ピース２（２ａ、２ｂ）を、図１に示すように下層の４列のうち両サイドには縫い付け部が存在する三次元ピース２ｂをそして内側列には三次元ピース２ａを配置し、上層の３列の三次元ピース２ａで帯状に連結させたポリアミド樹脂からなる本考案のメッシュ状の三次元装飾品を三次元プリンターでもって成形した。
【００４７】
【表１】
0003213673.tif 000003
【００４８】
次いで、２方向に伸縮性を有した幅６０ｍｍの経編製の細幅テープに長さ方向、および幅方向における各三次元ピース２（２ａ、２ｂ）のピッチが１１，５ｍｍの等ピッチになる様に三次元ピース位置決め板２０を厚紙で作製し、三次元装飾品１が細幅テープの幅方向の中央に位置するよう三次元ピース位置決め板２０で位置決めした状態で三次元ピース２（２ｂ）の縫着部５上をミシンで縫い付け、細幅テープに縫い付けた本考案の三次元装飾品１を得た。
【００４９】
細幅テープに縫い付けた三次元装飾品１の下段の三次元ピース２が長さ方向に８個分と、細幅テープの切断端の折り返し部の１０ｍｍが確保できるよう切断して、衣服のポケット部に装着させて着用試験したところ独特の意匠性を発揮させ、また衣服の揺れに従って上層側のメッシュ体２が個々に揺れ動くという躍動的な現象が見られた。
【００５０】
以上、代表的な実施例について説明したが、本考案は上記の実施例に限定されるもので はなく、本考案の要旨を変更しない範囲で適宜変更可能である
【産業上の利用可能性】
【００５１】
本考案の三次元メッシュ装飾品１は衣服に限らず、カバン・袋物類、靴、帽子、アクセサリー用品、カーテンなどのインテリア商品にも利用することが出来る。
【符号の説明】
【００５２】
１：三次元装飾品
２（２ａ、２ｂ）：三次元ピース  
３：三次元ピースの水平方向軸
４：三次元ピースの垂直方向軸
５：縫着部
６：連結部材
１０：基布
１１：縫い糸
２０：三次元ピース位置決め板
２１：凹形状切り抜き部
【図１】
0003213673.tif 000004
【図２】
0003213673.tif 000005
【図３】
0003213673.tif 000006
【図４】
0003213673.tif 000007
【図５】
0003213673.tif 000008
【図６】
0003213673.tif 000009
【図７】
0003213673.tif 000010